(57)【特許請求の範囲】
【請求項１】
カメラ本体とこのカメラ本体に接続する外部機器とで構成される撮像システムであって、
複数の接続対象機器に関する識別情報、ユーザが設定した動作状態からなる設定情報を記憶する記憶手段と、
接続対象機器との接続を検出する検出手段と、
この検出手段による接続対象機器との接続検出時に接続対象機器の識別情報により上記記憶手段を検索し、対応する設定情報にしたがって動作状態を設定する制御手段と
を具備したことを特徴とする撮像システム。
【請求項２】
上記撮像システムは少なくとも、書画台に接続可能に構成されるカメラと、上記書画台から構成され、
上記設定情報は、上記書画台の原稿載置部に置かれた原稿を撮影するときの上記カメラと上記書画台の原稿載置部の間の距離である撮影距離に関する設定を含み、
上記制御手段は、上記設定情報に応じて、上記撮影距離を自動で調整する
ことを特徴とする請求項１記載の撮像システム。
【請求項３】
上記撮像システムは少なくとも、ストロボに接続可能に構成されるカメラと、上記ストロボから構成され、
上記設定情報は、上記ストロボと上記カメラの組み合わせに対応したガイドナンバーに関する設定を含み、
上記制御手段は、上記設定情報に応じて、上記ガイドナンバーを自動で調整する
ことを特徴とする請求項１記載の撮像システム。
【請求項４】
上記記憶手段、検出手段及び制御手段を外部機器側に備えたことを特徴とする請求項１記載の撮像システム。
【請求項５】
上記記憶手段、検出手段及び制御手段をカメラ本体側に備えたことを特徴とする請求項１記載の撮像システム。
【請求項６】
上記記憶手段は、機器に対して着脱自在な記憶媒体に記憶したことを特徴とする請求項４または５記載の撮像システム。
【請求項７】
上記記憶手段で記憶する設定情報を補正する補正手段をさらに具備したことを特徴とする請求項１記載の撮像システム。
【請求項８】
上記記憶手段で記憶する内容を書換えるデータ書換手段をさらに具備したことを特徴とする請求項１記載の撮像システム。
【請求項９】
カメラ本体とこのカメラ本体に接続する外部機器とで構成される撮像システムの制御方法であって、
複数の接続対象機器に関する識別情報、ユーザが設定した動作状態からなる設定情報を記憶する記憶工程と、
接続対象機器との接続を検出する検出工程と、
この検出工程での接続対象機器との接続検出時に接続対象機器の識別情報により上記記憶工程で記憶した内容手段を検索し、対応する設定情報にしたがって動作状態を設定する制御工程と
を有したことを特徴とする撮像システムの制御方法。
【請求項１０】
カメラ本体とこのカメラ本体に接続する外部機器とで構成される撮像システム内でコンピュータが実行するプログラムであって、
複数の接続対象機器に関する識別情報、ユーザが設定した動作状態からなる設定情報を記憶する記憶ステップと、
接続対象機器との接続を検出する検出ステップと、
この検出ステップでの接続対象機器との接続検出時に接続対象機器の識別情報により上記記憶ステップで記憶した内容手段を検索し、対応する設定情報にしたがって動作状態を設定する制御ステップと
をコンピュータに実行させることを特徴とするプログラム。
【発明の詳細な説明】
【技術分野】
【０００１】
本発明は、例えばデジタルカメラとその他の外部機器とを接続して使用する撮像システム、撮像システムの制御方法及びプログラムに関する。
【背景技術】
【０００２】
従来、ズーム機能付きのデジタルカメラにおいて、電源オフ時にその時点での焦点距離（画角）を不揮発性メモリに記憶してからレンズ鏡筒を沈胴させ、次の電源オン時には記憶しておいた焦点距離となるように自動的にレンズ鏡筒を繰出す様にした機種が存在した。
【０００３】
また、会議中に参加者と書画の双方を撮影しうる電子会議用カメラユニットで、動作時の設定を保存しておき、次の動作時に活用することで設置時の初期設定を簡略化する技術が記載されている。（例えば、特許文献１）
【特許文献１】特開平０７−２９８２２４号公報
【発明の開示】
【発明が解決しようとする課題】
【０００４】
しかしながら、上述した技術はいずれもその機器単体で使用する場合に限られるものであり、例えばデジタルカメラを外付けのストロボや三脚と接続する場合、あるいは一眼レフタイプのデジタルカメラでレンズ交換を行なう場合など、複数の機器の接続関係を含めて総括的に動作状態を制御するようにしたものは存在しなかった。
【０００５】
本発明は上記のような実情に鑑みてなされたもので、その目的とするところは、カメラ本体を外部機器と接続して使用する際に個々の組合せに応じた初期設定等を簡略化し、即時撮影等の動作に移行することが可能な撮像システム、撮像システムの制御方法及びプログラムを提供することにある。
【課題を解決するための手段】
【０００６】
請求項１記載の発明は、カメラ本体とこのカメラ本体に接続する外部機器とで構成される撮像システムであって、複数の接続対象機器に関する識別情報、ユーザが設定した動作状態からなる設定情報を記憶する記憶手段と、接続対象機器との接続を検出する検出手段と、この検出手段による接続対象機器との接続検出時に接続対象機器の識別情報により上記記憶手段を検索し、対応する設定情報にしたがって動作状態を設定する制御手段とを具備したことを特徴とする。
【発明の効果】
【０００７】
請求項１記載の発明によれば、カメラ本体を外部機器と接続して使用する際に個々の組合せに応じた初期設定等を簡略化し、即時撮影等の動作に移行することが可能となる。
【発明を実施するための最良の形態】
【０００８】
以下本発明を書画カメラシステムに適用した場合の実施の一形態について図面を参照して説明する。
【０００９】
図１は、本実施の形態に係る書画カメラシステムの外観構成を示すもので、本書画カメラシステムは、書画台１とデジタルカメラ２とを組み合わせて構成される。  
書画台１は、折りたたみ式の薄板状の原稿載置部１ａの端部に台スタンド１ｂが直立し、その上部から延在された回動アーム部１ｃの先端にカメラ取付け部１ｄが上記原稿載置部１ａと平行となるように回動自在に配置される。
【００１０】
図２は、デジタルカメラ２をこの書画台１のカメラ取付け部１ｄに装着する状態を示すもので、デジタルカメラ２の底面側をカメラ取付け部１ｄ先端の凹部に嵌合することによりデジタルカメラ２が書画台１に装着され、合わせて、ここでは図示しないデジタルカメラ２底面に形成されたＵＳＢ端子と該カメラ取付け部１ｄの凹部内に突出形成されたＵＳＢ端子と接続されて、書画台１からデジタルカメラ２に電源が供給される一方で、デジタルカメラ２での撮影により得た、原稿載置部１ａ上に載置された書類等の画像信号が書画台１へ伝送される。
【００１１】
なお、このデジタルカメラ２を装着した書画台１は、これも図示しないＵＳＢケーブルでパーソナルコンピュータあるいはプロジェクタ装置と接続され、デジタルカメラ２で得た画像信号に適宜台形補正等の画像処理を施した後に出力する。
【００１２】
次に書画台１の電子回路の機能構成について図３を用いて説明する。  
書画台１は、制御部１１を中心としてこの制御部１１にＵＳＢインターフェイス（Ｉ／Ｆ）１２、画像処理部１３、記憶部１４、高さ調整部１５を接続して構成される。
【００１３】
制御部１１は、ＣＰＵとこのＣＰＵが実行する動作プログラムや固有のデータ等のデータを記憶した不揮発性メモリ、及びワークメモリ等で構成され、この書画台１全体の動作制御を司るものであり、機能的には上記動作プログラムの一部として自動補正部１１ａを設け、後述する各種データの補正等を行なう。
【００１４】
ＵＳＢインターフェイス１２は、上述したデジタルカメラ２及び、パーソナルコンピュータあるいはプロジェクタ装置等と接続するための２つのＵＳＢ端子１２ａ，１２ｂと制御部１１との間でデータの送受信制御を行なう。
【００１５】
画像処理部１３は、デジタルカメラ２で撮影され、ＵＳＢインターフェイス１２を介して入力された画像信号に対し、輪郭抽出や切出し、輝度ムラ補正、色補正、及び歪み補正等の書画撮像補正と総称される画像処理を実行する。
【００１６】
記憶部１４は、この書画台１に接続される上記デジタルカメラ２を含む複数の機種のデジタルカメラに対応したデータを記憶する不揮発性メモリであり、仮記憶部１４ａ、ユーザ設定データ１４ｂ、カメラ変換データ１４ｃ、書画台変換データ１４ｄを有する。
【００１７】
仮記憶部１４ａは、この記憶部１４を用いての後述する各処理時に各種データを一時保存しておく領域である。
【００１８】
ユーザ設定データ１４ｂは、図４に示すようにデジタルカメラ２を識別するためのカメラＩＤ情報、書画台１を識別するための書画台ＩＤ情報、デジタルカメラ２を書画台１に装着して書画カメラとして使用する際のデジタルカメラ２の焦点距離（ズーム画角）を示すズーム設定値情報、マクロ撮影設定値（オン／オフの情報を含む）、及び撮影距離情報の各情報からなり、各データサイズは図示する通りである。
【００１９】
カメラ変換データ１４ｃは、この書画台１に装着し得る複数の機種のデジタルカメラについての変換データからなるもので、１機種毎に図５に示すようなデータ内容、具体的にはそのデジタルカメラの機種を示すカメラＩＤ情報、書画カメラとして使用する場合の最大焦点距離を示すズームＭＡＸ値、同最小焦点距離を示すズームＭＩＮ値、及びマクロ撮影有無情報の各情報からなり、そのデータフォーマット及び注釈は図示する通りである。
【００２０】
書画台変換データ１４ｄは、図６に示すようにこのデジタルカメラ２の機種固有の書画台ＩＤ情報、デジタルカメラ２及びカメラ取付け部１ｄを最も上側に移動させての原稿載置部１ａとの距離を示す撮影距離ＭＡＸ値、デジタルカメラ２及びカメラ取付け部１ｄを最も下側に移動させての原稿載置部１ａとの距離を示す撮影距離ＭＩＮ値、及びデフォルトでのデジタルカメラ２及びカメラ取付け部１ｄと原稿載置部１ａとの距離を示す撮影距離設定値の各情報からなり、そのデータフォーマット及び注釈は図示する通りである。
【００２１】
高さ調整部１５は、制御部１１の制御の基にモータ（Ｍ）１６を回転駆動することで台スタンド１ｂに対する回動アーム部１ｃとカメラ取付け部１ｄとの相対角度を変化させ、結果としてカメラ取付け部１ｄ及びデジタルカメラ２と原稿載置部１ａとの間の距離（高さ）、すなわち撮影距離を調整する。
【００２２】
次いで図７によりデジタルカメラ２の電子回路の機能構成を説明する。  
基本モードである撮影モードでのモニタリング（スルー画像表示）状態においては、モータ（Ｍ）２１の駆動により合焦位置や絞り位置が移動される、撮影レンズを構成するレンズ光学系２２の撮影光軸後方に配置された撮像素子であるＣＣＤ２３が、タイミング発生器（ＴＧ）２４、ＣＣＤドライバ２５によって走査駆動され、一定周期毎に結像した光像に対応する光電変換出力を１画面分出力する。
【００２３】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒ（ＹＵＶ信号）が生成され、ＤＭＡ（Ｄｉｒｅｃｔ  Ｍｅｍｏｒｙ  Ａｃｃｅｓｓ）コントローラ２９に出力される。
【００２４】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインターフェイス（Ｉ／Ｆ）３０を介してバッファメモリとして使用されるＤＲＡＭ３１にＤＭＡ転送を行なう。
【００２５】
制御部３２は、ＣＰＵと、このＣＰＵで実行される動作プログラムを固定的に記憶した不揮発性メモリ、及びワークメモリ等により構成され、このデジタルカメラ２全体の制御動作を司るもので、上記輝度及び色差信号のＤＲＡＭ３１へのＤＭＡ転送終了後に、この輝度及び色差信号（ＹＵＶ信号）をＤＲＡＭインターフェイス３０を介してＤＲＡＭ３１より読出し、表示制御部３３を介してＶＲＡＭ３４に書込む。
【００２６】
表示制御部３３は、上記輝度及び色差信号をＶＲＡＭ３４より定期的に読出し、これらのデータを元にビデオ信号を発生して表示部３５に出力する。
【００２７】
この表示部３５は、バックライト付きのカラー液晶パネルで構成され、デジタルカメラ２本体の背面側に配設されるもので、画像の撮影モード時にはモニタ表示部（電子ファインダ）として機能し、表示制御部３３からのビデオ信号に基づいた表示を行なうことで、その時点で撮像素子である上記ＣＣＤ２３が取込んでいる画像情報に基づく画像をリアルタイムに表示（スルー画像表示）することとなる。
【００２８】
このように表示部３５にその時点での撮影可能なスルー画像がリアルタイムに表示されている状態で、静止画撮影を行ないたいタイミングでキー入力部３６の一部を構成するシャッタキーを操作すると、トリガ信号を発生する。
【００２９】
制御部３２は、このトリガ信号に応じてその時点でＣＣＤ２３から取込んでいる１画面分の輝度及び色差信号のＤＲＡＭ２１へのＤＭＡ転送を取り止め、あらためて適正な露出条件に従った絞り値及びシャッタ速度でＣＣＤ２３を走査駆動して１画面分の輝度及び色差信号を得てＤＲＡＭ３１へ転送し、その後にこの経路を停止し、記憶保存の状態に遷移する。
【００３０】
この記憶保存の状態では、制御部３２がＤＲＡＭ３１に書込まれている１フレーム分の輝度及び色差信号をＤＲＡＭインターフェイス３０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３７に書込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００３１】
そして、得た符号データを１画像のデータファイルとして該ＪＰＥＧ回路３７から読出し、このデジタルカメラ２の記憶媒体として設けられるメモリカード３８に書込む。
【００３２】
メモリカード３８は、不揮発性のメモリであるフラッシュメモリをカード状のケーシングに封入し、このデジタルカメラ２に着脱自在に装着される。
【００３３】
そして、１フレーム分の輝度及び色差信号の圧縮処理とメモリカード３８への全圧縮データの書込み終了に伴なって、制御部３２はＣＣＤ２３からＤＲＡＭ３１への経路を再び起動する。
【００３４】
また、上記制御部３２には、キー入力部３６、ストロボ駆動部３９、電源制御部４０、及びＵＳＢインターフェイス（Ｉ／Ｆ）４１が接続される。
【００３５】
キー入力部３６は、上述したシャッタキーその他のキーから構成され、それらのキー操作に伴なう信号は直接制御部３２へ送出される。
【００３６】
ストロボ駆動部３９は、静止画像撮影時に図示しないストロボ用の大容量コンデンサを充電した上で、制御部３２からの制御に基づいてストロボ発光部４３を閃光駆動する。
【００３７】
電源制御部４０は、このデジタルカメラ２の動作電源となる、例えばリチウムイオン電池などの図示しない内蔵充電池の充電制御と、この内蔵充電池の発生電力を上記他の各回路に供給する際の制御とを行なうもので、上記ＵＳＢケーブル１２中の電源線が接続されている。
【００３８】
ＵＳＢインターフェイス４１は、このデジタルカメラ２底面に配設されたＵＳＢコネクタ４２を介して接続される外部の情報機器、例えば上記書画台１との間で画像データその他の送受を行なう場合の通信制御を行なう。
【００３９】
加えてＵＳＢインターフェイス４１は、このデジタルカメラ２を書画台１に装着して書画カメラとして使用する際には、書画台１からの制御を受けて静止表示及びスルー表示の切替を含む各種制御信号を受付け、その制御に基づいて撮影して得た画像データを書画台１側へ送信出力する。
【００４０】
なお、上記通常の撮影モードとは別に、上記キー入力部３６の動作モードキーの操作により動画像の撮影も可能となる。この動画像の撮影時においては、キー入力部３６のシャッタキー１６が１回目に操作されてから、上述した静止画像データのメモリカード３８への記憶を時間的に連続して実行し、該シャッタキー１６の２回目の操作がなされるか、または所定の制限時間、例えば３０秒が経過した時点で、メモリカード３８に記憶されている一連の静止画データをモーションＪＰＥＧの動画データファイル（ＡＶＩファイル）として記憶設定し直す。
【００４１】
また、再生モード時には、制御部３２が内蔵メモリ３８に記憶されている画像データを選択的に読出し、ＪＰＥＧ回路３７で撮影モード時にデータ圧縮した手順と全く逆の手順で圧縮されている画像データを伸長し、伸長した画像データをＤＲＡＭインターフェイス３０を介してＤＲＡＭ３１に保持させた上で、このＤＲＡＭ３１の保持内容を表示制御部３３を介してＶＲＡＭ３４に記憶させ、このＶＲＡＭ３４より表示制御部３３が定期的に画像データを読出してビデオ信号を生成して表示部３５に出力する。
【００４２】
なお、選択した画像データが静止画像ではなく動画像であった場合には、選択した動画像データのファイルを構成する個々の静止画像データの再生を時間的に連続して実行し、すべての静止画像データの再生を終了した時点で、次に再生の指示がなされるまでその動画像データの先頭に位置する静止画像データのみを用いて再生表示する。
【００４３】
次に上記実施の形態の動作について説明する。  
なお、この実施の形態では書画台１側の制御部１１内の自動補正部１１ａが、デジタルカメラ２との接続に基づいてその認識と設定とを主として行なうこととし、その起動はユーザがデジタルカメラ２を操作しているときに逐次行なっているものとする。
【００４４】
図８は、主として自動補正部１１ａがカメラ取付け部１ｄにデジタルカメラ２を装着した状態で、ＵＳＢインターフェイス１２からの接続検出の信号を受けて実行する処理内容を説明するものである。  
その動作当初には、記憶部１４のユーザ設定データ１４ｂから書画台ＩＤ情報を読出した上で（ステップＭ０１）、同高さ調整部１５の書画台変換データ１４ｄから書画台ＩＤ情報を読出し（ステップＭ０２）、これら２つの書画台ＩＤ情報を比較して一致するか否か判断する（ステップＭ０３）。
【００４５】
ここで２つの書画台ＩＤ情報が一致したと判断した場合、ユーザが予め設定を行なっていたこととなるので、同じくユーザ設定データ１４ｂに設定されている筈の撮影距離情報を読出して仮記憶部１４ａに一時的に保持させる（ステップＭ０４）。
【００４６】
次いでカメラ取付け部１ｄに接続されているデジタルカメラ２のレンズ光学系２２のズーム画角を設定値通りに補正する（ステップＭ０５）。  
図６は、このズーム画角の補正に関する詳細な処理内容を示すサブルーチンであり、まずユーザ設定データ１４ｂからズーム設定値情報（Ａ）及び撮影距離情報（Ｃ）を読出す（ステップＳ０１）。
【００４７】
次に仮記憶部１４ａに一時保持した撮影距離情報（Ｄ）を読出して（ステップＳ０２）、補正したズーム情報（Ｅ）を次式  
Ｅ＝Ａ＊Ｃ／Ｄ                          …(1)   
（但しＥ：補正後のズーム情報、  
Ａ：ズーム設定値情報、  
Ｃ：撮影距離情報、  
Ｄ：撮影距離情報。）  
により算出する（ステップＳ０３）。
【００４８】
その後、接続されているデジタルカメラ２からカメラＩＤ情報を受信し（ステップＳ０４）、そのカメラＩＤ情報により複数のカメラ変換データ１４ｃを検索して（ステップＳ０５）、一致するデータがあるか否かを判断する（ステップＳ０６）。
【００４９】
ここでカメラ変換データ１４ｃに該当するデータがあると判断した場合には、次いでその該当するカメラ変換データ１４ｃ内からズームＭＡＸ値情報及びズームＭＩＮ値情報を読出し（ステップＳ０７）、上記ステップＳ０３で算出したズーム情報ＥをズームＭＡＸ値と比較して、該ズームＭＡＸ値以上であるか否かを判断する（ステップＳ０８）。
【００５０】
上記ステップＳ０３で算出したズーム情報ＥがズームＭＡＸ値以上であった場合には、あらためてズーム情報ＥをズームＭＡＸ値を用いて設定し直す（ステップＳ０９）。
【００５１】
また、上記ステップＳ０８でズーム情報ＥがズームＭＡＸ値未満であった場合には、次に上記ステップＳ０３で算出したズーム情報ＥをズームＭＩＮ値と比較して、該ズームＭＩＮ値以下であるか否かを判断する（ステップＳ１２）。
【００５２】
ここでズーム情報ＥがズームＭＩＮ値より大きい場合にはあえてズーム情報Ｅの補正は必要ないものとして内容を書換える設定は行なわないが、反面、ズーム情報ＥがズームＭＩＮ値以下であると判断した場合には、あらためてズーム情報ＥをズームＭＩＮ値を用いて設定し直す（ステップＳ１３）。
【００５３】
こうして必要によりズームＭＡＸ値情報及びズームＭＩＮ値で示される範囲内に情報ズーム情報Ｅを書き換える補正処理を実行した後、そのズーム情報Ｅをあらためて仮記憶部１４ａから出力してユーザ設定データ１４ｂのズーム設定値情報として設定し直す（ステップＳ１０）。
【００５４】
加えて、上記ステップＳ０４でデジタルカメラ２から受信したカメラＩＤ情報を上記ユーザ設定データ１４ｂに更新記憶させ（ステップＳ１１）、以上でこの図９のサブルーチンを終了して、図８のメインルーチンに復帰する。
【００５５】
なお、上記ステップＳ０６でデジタルカメラ２から受信したカメラＩＤ情報で複数のカメラ変換データ１４ｃ中に該当するものがなかった場合には、デジタルカメラ２を書画台１に装着して書画カメラとして使用することはできないものとして何らかのエラー処理を行なった上で（ステップＳ１４）、この図９のサブルーチンを終了する。
【００５６】
また、このステップＳ１４のエラー処理に代えて、デジタルカメラ２のカメラＩＤ情報を始めとする他の情報も含めて新規にデジタルカメラ２を書画台１に登録する新規登録処理を行なうものとしてもよい。
【００５７】
しかるに図８のメインルーチンにおいては、上記図９のサブルーチンで補正したズーム設定値情報をユーザ設定データ１４ｂに上書きで書込んだ後（ステップＭ０６）、そのズーム設定値情報をデジタルカメラ２に送信して設定値通りのズーム画角となるようにモータ２１でレンズ光学系２２中のズームレンズを移動させる（ステップＭ０７）。
【００５８】
その後、ユーザ設定データ１４ｂの撮影距離情報に上記図９のステップＳ０２で読出した内容をあらためて設定し直した上で（ステップＭ０８）、デジタルカメラ２を書画カメラとして使用するためにデジタルカメラ２に対してマクロ撮影の設定値を更新する処理を実行する（ステップＭ０９）。
【００５９】
図１０は、このマクロ撮影の設定値の更新に関する詳細な処理内容を示すサブルーチンであり、まずデジタルカメラ２からカメラＩＤ情報を受信する（ステップＳ３１）。このカメラＩＤ情報を基に複数のカメラ変換データ１４ｃを検索して（ステップＳ３２）、一致するデータがあるか否かを判断する（ステップＳ３３）。
【００６０】
ここでカメラ変換データ１４ｃに該当するデータがあると判断した場合には、次いでその該当するカメラ変換データ１４ｃ内からマクロ撮影有無情報を読出し（ステップＳ３４）、読出した内容からデジタルカメラ２がマクロ撮影を行なうことが可能な機種であるか否かを判断する（ステップＳ３５）。
【００６１】
ここでマクロ撮影を行なうことが可能な機種であると判断した場合には、ユーザ設定データ１４ｂのマクロ撮影設定値を読出して出力する処理を実行し（ステップＳ３６）、以上でこの図１０のサブルーチンを終了して、図８のメインルーチンに復帰する。
【００６２】
また、上記ステップＳ３５でデジタルカメラ２がマクロ撮影を行なうことができない機種であると判断した場合には、マクロ撮影設定値がオフとなる内容を用いて出力する処理を実行し（ステップＳ３７）、以上でこの図１０のサブルーチンを終了して、図８のメインルーチンに復帰する。
【００６３】
なお、上記ステップＳ３３でデジタルカメラ２から受信したカメラＩＤ情報で複数のカメラ変換データ１４ｃ中に該当するものがなかった場合には、デジタルカメラ２を書画台１に装着して書画カメラとして使用することはできないものとして何らかのエラー処理を行なった上で（ステップＳ３８）、この図１０のサブルーチンを終了する。
【００６４】
また、このステップＳ３８のエラー処理に代えて、デジタルカメラ２のカメラＩＤ情報やマクロ撮影の設定値情報を始めとする他の情報も含めて新規にデジタルカメラ２を書画台１に登録する新規登録処理を行なうものとしてもよい。
【００６５】
しかるに図８のメインルーチンにおいては、上記図１０のサブルーチンで更新したマクロ撮影の設定値をズーム設定値情報をユーザ設定データ１４ｂに上書きで書込んだ後（ステップＭ１０）、そのマクロ撮影の設定値をデジタルカメラ２へも送信してデジタルカメラ２側でマクロ撮影に対する設定、具体的にはモータ２１でレンズ光学系２２中のフォーカスレンズを所定のマクロ撮影位置まで移動させ（ステップＭ１１）、以上でこの図８の自動補正部１１ａによる処理を終了する。
【００６６】
以後、デジタルカメラ２をカメラ取付け部１ｄに装着した書画台１を書画カメラとして機能させ、原稿載置部１ａに載置したドキュメント書類等の画像を撮影し、適宜画像処理を施した後にパーソナルコンピュータやプロジェクタ装置に対してその画像信号を出力することができる。
【００６７】
このように、デジタルカメラ２を書画台１に装着して書画カメラとして使用する際に、書画台１及びデジタルカメラ２個々の機種の組合せに応じて必要なユーザの初期設定等を簡略化し、即時撮影動作に移行することが可能となる。
【００６８】
加えて、上記実施の形態では、撮影を実行するデジタルカメラ２から見て、一つの外部機器である書画台１の側でデジタルカメラ２の装着の検出とそれに続く機種判別を含む初期設定等の処理を実行するものとしたので、いわば汎用的に撮影を行なうデジタルカメラ２側の制御の負担を軽減しながら、書画カメラとしての固有の制御を含む専門的な初期設定を書画台１で行なうために、よりきめ細かな設定を実施することができる。
【００６９】
また、上記実施の形態では、デジタルカメラ２に接続する一つの外部機器である書画台１の側において、複数の機種のデジタルカメラのデータを記憶しておき、実際にデジタルカメラ２が接続された場合にこれを検出し、初期設定等の制御を実行する機能を持たせるものとしたが、外部機器毎のデータの記憶と、接続の検出及び初期設定の制御等をすべてデジタルカメラ２の側で実行するものとしてもよい。
【００７０】
図１１は、そのような機能を実現する本実施の形態の第１の変形例を説明するものである。同図は上記図７に示したデジタルカメラ２の一部の回路構成を変更したデジタルカメラ２′の回路構成を示すもので、ここで図示していない部分は上記図７と同様の構成を有するものとする。
【００７１】
すなわち、制御部３２′に、上記図３の制御部１１の自動補正部１１ａと同等の自動補正部３２ａを設ける一方で、上記図３の記憶部１４と同等の記憶部５１を設ける。
【００７２】
この記憶部５１は、仮記憶部５１ａ、ユーザ設定データ５１ｂ、カメラ変換データ５１ｃ、及び書画台変換データ５１ｄを有するもので、記憶部５１はこのデジタルカメラ２′を装着し得る複数の機種の書画台についての変換データからなる。
【００７３】
このように、あえてデジタルカメラ２′側に外部機器である書画台１等の接続を検出し、制御する機能を持たせることで、撮影を実行するデジタルカメラ２の負担は多少増えるものの、デジタルカメラ２がすべての動作制御を一元的に管理できるため、書画台１等との間での制御データの送受に時間を要することなく、迅速に撮影動作に移行することができる。
【００７４】
さらに、書画台１とデジタルカメラ２のいずれでもなく、書画台１とデジタルカメラ２に関する種々のデータを外部の記憶媒体、例えばメモリカードに記憶しておき、そのメモリカードを例えば書画台１に装着することで、デジタルカメラ２との組合せによる初期設定等を行なうことが可能となるようにしても良い。
【００７５】
図１２は、そのような機能を実現する本実施の形態の第２の変形例を説明するものである。同図は、上記図３に示した書画台１の回路構成に代わるもので、同一部分には同一符号を用いるものとしてその説明は省略する。
【００７６】
しかして、記憶部１４′が仮記憶部１４ａのみを備える一方で、着脱自在に装着されるメモリカード６１には、ユーザ設定データ６１ａ、カメラ変換データ６１ｂ、書画台変換データ６１ｃが記憶される。
【００７７】
ここでカメラ変換データ６１ｂは、書画台に装着し得る複数の機種のデジタルカメラについての変換データからなるのと同様に、書画台変換データ６１ｃも、デジタルカメラを装着可能な複数の機種の書画台についての変換データからなる。
【００７８】
このように着脱可能なメモリカード６１にデジタルカメラと回武器基である書画台双方の変換データを記憶するものとしたことにより、メモリカード６１自体はパーソナルコンピュータ等で容易にその記憶内容を書き換えることが可能であるため、機種毎のバージョンアップや機種自体の増加にも容易に対応することができ、システムの拡張性をより向上することができる。
【００７９】
なお、上記実施の形態では、第１及び第２の変形例も含めて、書画台１とデジタルカメラ２とを組み合わせて書画カメラとして使用する場合について説明したが、本発明はこれに限ることなく、カメラ本体と他の外部機器とを接続して使用するようなシステム構成を有するものであればいずれにも適用可能である。
【００８０】
例えば、ＣＣＤ等の固体撮像素子を用いたデジタルカメラと銀塩フィルムを用いた銀塩カメラのいずれかに限定することなく、カメラ本体に外付けのストロボを接続して使用する場合に、複数機種の外付けストロボそれぞれのＧＮ（ガイドナンバー）や照射角のズーム機能の有無等の情報を対応するストロボＩＤ情報と共にカメラ本体側に予め記憶しておき、あらたに外付けストロボが装着された時点でこれを検出してそのストロボＩＤ情報から該当する情報を検索し、ストロボ撮影時の発光量やズーム角度を制御することも可能である。
【００８１】
例えば、上記ストロボが、複数のＲＧＢ各色のＬＥＤの組合せにより構成されている場合に、通常の設定状態より、少しＲ（赤色）のＬＥＤのみを強く発光させ、あるいはＢ（青色）のＬＥＤのみを強く発光させ留、といったような設定を、ユーザが各ストロボの固体毎にカメラまたはストロボまたは別体に構成された記憶媒体に保存しておくことができるので、一度設定を行なえば、ストロボを交換しても迅速に適切な撮影に移行することができる。
【００８２】
また、例えば電動雲台を有し、脚部の伸縮も電動で制御することが可能な電動三脚にも適用することが可能であり、カメラの装着によって予め定められた脚長及び被写体への対向角度等を設定することが可能となる。
【００８３】
さらに、上記実施の形態では、初期設定時に予め記憶されている一つの内容に対応して設定を行なうだけでなく、ユーザの設定データ等に応じて適宜柔軟性を持った補正を行ないながら設定動作を行なうようになるため、その時点でのユーザの撮影意図等を反映させ、より使い勝手の良いカメラシステムを構築することができる。
【００８４】
加えて、記憶部が記憶する変換用のデータも適宜書き換えることが可能であるものとしたので、この点においても同様にユーザの撮影意図等を反映させ、より使い勝手の良いカメラシステムを構築することができる。
【００８５】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【図面の簡単な説明】
【００８６】
【図１】本発明の実施の一形態に係る書画カメラシステムの外観構成を示す斜視図。
【図２】同実施の形態に係るデジタルカメラを書画台のカメラ取付け部に装着する状態を示す斜視図。
【図３】同実施の形態に係る書画台の電子回路の機能構成を示すブロック図。
【図４】同実施の形態に係る図３のユーザ設定データの詳細な内容を例示する図。
【図５】同実施の形態に係る図３のカメラ変換データの詳細な内容を例示する図。
【図６】同実施の形態に係る図３の書画台変換データの詳細な内容を例示する図。
【図７】同実施の形態に係るデジタルカメラの電子回路の機能構成を示すブロック図。
【図８】同実施の形態に係るメインルーチンの処理内容を示すフローチャート。
【図９】同実施の形態に係る図８のサブルーチンの処理内容を示すフローチャート。
【図１０】同実施の形態に係る図８のサブルーチンの処理内容を示すフローチャート。
【図１１】同実施の形態に係る第１の変形例のデジタルカメラの一部の電子回路の機能構成を示すブロック図。
【図１２】同実施の形態に係る第２の変形例の書画台の電子回路の機能構成を示すブロック図。
【符号の説明】
【００８７】
１…書画台、１ａ…原稿載置部、１ｂ…台スタンド、１ｃ…回動アーム部、１ｄ…カメラ取付け部、２…デジタルカメラ、１１…制御部、１１ａ…自動補正部、１２…ＵＳＢインターフェイス（Ｉ／Ｆ）、１３…画像処理部、１４…記憶部、１４ａ…仮記憶部、１４ｂ…ユーザ設定データ、１４ｃ…カメラ変換データ、１４ｄ…書画台変換データ、１５…高さ調整部、１６…モータ（Ｍ）、２１…モータ（Ｍ）、２２…レンズ光学系、２３…ＣＣＤ、２４…タイミング発生器（ＴＧ）、２５…ＣＣＤドライバ、２６…サンプルホールド回路（Ｓ／Ｈ）、２７…Ａ／Ｄ変換器、２８…カラープロセス回路、２９…ＤＭＡコントローラ、３０…ＤＲＡＭインターフェイス（Ｉ／Ｆ）、３１…ＤＲＡＭ、３２…制御部、３３…表示制御部、３４…ＶＲＡＭ、３５…表示部、３６…キー入力部、３７…ＪＰＥＧ回路、３８…メモリカード、３９…ストロボ駆動部、４０…電源制御部、４１…ＵＳＢインターフェイス（Ｉ／Ｆ）、４２…ＵＳＢコネクタ、４３…ストロボ発光部、５１…記憶部、６１…メモリカード。
【図１】
0004561577.tif 000002
【図２】
0004561577.tif 000003
【図３】
0004561577.tif 000004
【図４】
0004561577.tif 000005
【図５】
0004561577.tif 000006
【図６】
0004561577.tif 000007
【図７】
0004561577.tif 000008
【図８】
0004561577.tif 000009
【図９】
0004561577.tif 000010
【図１０】
0004561577.tif 000011
【図１１】
0004561577.tif 000012
【図１２】
0004561577.tif 000013